(57)【要約】【課題】被牽引車が連結された場合に車体開閉部が予期せずに解錠されてしまうのを防止する車輌用施解錠制御装置を提供すること。【解決手段】応答要求信号を発信する発信機４と応答要求信号に応じて応答信号を発信する携帯機８と応答信号を受信する受信機５とを有する車輌用施解錠制御システムＳにおける車輌用施解錠制御装置１は、受信機５に対応する車体開閉部の施解錠を制御する施解錠制御手段１００と、被牽引車Ｔの連結の有無を判定する連結判定手段１０１と、連結判定手段１０１により被牽引車Ｔが連結されていると判定された場合、所定の受信機５Ｂに対応する車体開閉部の解錠を禁止する解錠禁止手段１０２と、を備える。【選択図】図１
2008050845.tif 000002
【特許請求の範囲】
【請求項１】
応答要求信号を発信する発信機と該応答要求信号に応じて応答信号を発信する携帯機と該応答信号を受信する受信機とを有する車輌用施解錠制御システムにおける車輌用施解錠制御装置であって、
前記受信機に対応する車体開閉部の施解錠を制御する施解錠制御手段と、
被牽引車の連結の有無を判定する連結判定手段と、
前記連結判定手段により被牽引車が連結されていると判定された場合、所定の受信機に対応する車体開閉部の解錠を禁止する解錠禁止手段と、
を備えることを特徴とする車輌用施解錠制御装置。
【請求項２】
前記所定の受信機は、前記被牽引車が位置する範囲にある携帯機から応答信号を受信する受信機である、
ことを特徴とする請求項１に記載の車輌用施解錠制御装置。
【請求項３】
前記解錠禁止手段により解錠が禁止された状態で前記連結判定手段により被牽引車の連結が無いと判定された場合に警報を出力する警報出力手段、
を備えることを特徴とする請求項１または２に記載の車輌用施解錠制御装置。
【請求項４】
前記警報出力手段は、前記解錠禁止手段により解錠が禁止されない場合、警報を出力しない、
ことを特徴とする請求項３に記載の車輌用施解錠制御装置。
【発明の詳細な説明】
【技術分野】
【０００１】
本発明は、車輌用施解錠制御装置に関し、特に、被牽引車が連結された場合に車体開閉部が予期せずに解錠されてしまうのを防止する車輌用施解錠制御装置に関する。
【背景技術】
【０００２】
従来、携帯機に記憶された認証コードを無線通信によって取得し、認証コードを照合確認できた場合に、ドアやトランクを自動的に解錠するキーレスエントリーシステムが知られている（例えば、特許文献１参照。）。
【０００３】
かかるキーレスエントリーシステムは、車載送受信機が通信可能範囲にある携帯機に電波を発信することにより、携帯機に認証コードを含む応答信号を発信させて認証コードを取得する。
【０００４】
キーレスエントリーシステムは、運転席ドア、助手席ドアまたはトランク等のそれぞれに対応する受信機を個別に有し、携帯機からの応答信号を受信した受信機のそれぞれに対応するドアやトランクを解錠する。この場合、キーレスエントリーシステムは、携帯機からの応答信号を受信した時点で即座にドアやトランクを解錠する場合もあり、携帯機からの応答信号を受信し、かつ、ドアノブに設置された接触センサーが携帯機を携帯する者の手を検出した時点でドアやトランクを解錠する場合もある。
【０００５】
これにより、携帯機を携帯する者は、キーを操作する必要もなく、車輌のドアやトランクに近づくだけで自動的にドアやトランクを解錠することができる。
【特許文献１】特開２００２−４６５４１号公報
【発明の開示】
【発明が解決しようとする課題】
【０００６】
しかしながら、特許文献１に記載の制御装置を含めた従来のキーレスエントリーシステムは、被牽引車が連結された場合に特別な対応を採っていない。従って、車輌後方にキャンピングカーが連結され、そのキャンピングカー内に携帯機が保管された場合であって、車輌後方に設置された発信機の通信範囲内にその携帯機がある場合、キーレスエントリーシステムは、その発信機に対応するドアやトランクを誤って解錠させてしまう場合がある。
【０００７】
上述の状況に鑑み、本発明は、被牽引車が連結された場合に車体開閉部が予期せずに解錠されてしまうのを防止する車輌用施解錠制御装置を提供することを目的とする。
【課題を解決するための手段】
【０００８】
上述の目的を達成するために、第一の発明に係る車輌用施解錠制御装置は、応答要求信号を発信する発信機と該応答要求信号に応じて応答信号を発信する携帯機と該応答信号を受信する受信機とを有する車輌用施解錠制御システムにおける車輌用施解錠制御装置であって、前記受信機に対応する車体開閉部の施解錠を制御する施解錠制御手段と、被牽引車の連結の有無を判定する連結判定手段と、前記連結判定手段により被牽引車が連結されていると判定された場合、所定の受信機に対応する車体開閉部の解錠を禁止する解錠禁止手段とを備えることを特徴とする。
【０００９】
また、第二の発明は、第一の発明に係る車輌用施解錠制御装置であって、前記所定の受信機は、前記被牽引車が位置する範囲にある携帯機から応答信号を受信する受信機である、ことを特徴とする。
【００１０】
また、第三の発明は、第一または第二の発明に係る車輌用施解錠制御装置であって、前記解錠禁止手段により解錠が禁止された状態で前記連結判定手段により被牽引車の連結が無いと判定された場合に警報を出力する警報出力手段を備えることを特徴とする。
【００１１】
また、第四の発明は、第三の発明に係る車輌用施解錠制御装置であって、前記警報出力手段は、前記解錠禁止手段により解錠が禁止されない場合、警報を出力しないことを特徴とする。
【発明の効果】
【００１２】
上述の手段により、本発明は、被牽引車が連結された場合に車体開閉部が予期せずに解錠されてしまうのを防止する車輌用施解錠制御装置を提供することができる。
【発明を実施するための最良の形態】
【００１３】
以下、図面を参照しつつ、本発明を実施するための最良の形態の説明を行う。
【実施例】
【００１４】
図１は、本発明に係る車輌用施解錠制御システムの構成例を示す図であり、車輌用施解錠制御システムＳは、車輌用施解錠制御装置１、バックドアスイッチ２、連結検出器３、発信機４、受信機５、アラームＥＣＵ(Electronic  Control  Unit)６、ボデーＥＣＵ７、スマートキー８から構成され、各装置は、ＣＡＮ(Controller  Area  Network)やＬＩＮ(Local  Interconnect  Network)等の車載ネットワークを介して接続される。
【００１５】
車輌用施解錠制御装置１は、ドアやバックドアの施解錠を制御する装置であり、例えば、スマートキー８を携帯する運転者が接近した場合にドアを自動的に解錠したり、スマートキー８を携帯した運転者が車輌から遠ざかった場合にドアを自動的に施錠したりする。
【００１６】
車輌用施解錠制御装置１が有する制御部１０は、ＣＰＵ（Central  Processing  Unit）、ＲＡＭ（Random  Access  Memory）、ＲＯＭ（Read  Only  Memory）、ＮＶＲＡＭ（Non-Volatile  Random  Access  Memory）等を備えたコンピュータであり、施解錠制御手段１００、連結判定手段１０１、解錠禁止手段１０２および警報出力手段１０３に対応するプログラムをＮＶＲＡＭに記憶し、それらプログラムをＲＡＭ上に展開して対応する処理をＣＰＵに実行させる。なお、制御部１０の各種手段は、電子回路で構成されてもよい。
【００１７】
バックドアスイッチ２は、バックドアを開くためのスイッチであり、例えば、後方ナンバープレート付近等に配置される押しボタン式のスイッチであって、スイッチが押下されるとバックドア解錠要求信号を車輌用施解錠制御装置１の制御部１０に出力する。
【００１８】
連結検出器３は、被牽引車の連結の有無を検出するための装置であり、例えば、車輌と被牽引車（トレーラ）とを電気的に接続するためのトーイングコネクタにおける電圧値に基づいてトレーラの連結の有無を検出する。
【００１９】
連結検出器３は、車輌とトレーラとが連結されている場合、トレーラに設置されるトレーラランプ等の電気的負荷（抵抗）の存在によりトーイングコネクタにおいて生じる電圧降下を測定することでトレーラ連結の有無を検出する。
【００２０】
また、連結検出器３は、電源供給ライン接続の有無や接地接続の有無を検出することでトレーラ連結の有無を検出するようにしてもよく、車輌とトレーラとを機械的に接続するためのトーイングヒッチ部に設けられた専用スイッチを介して電気機械的にトレーラ連結の有無を検出するようにしてもよく、トレーラランプの断線を検出する断線検出回路を用いてトレーラ連結の有無を検出するようにしてもよい。
【００２１】
連結検出器３は、トレーラが連結された状態でトレーラ連結信号を制御部１０に出力し、トレーラが切り離された状態でトレーラ連結信号の出力を中止する。
【００２２】
発信機４は、スマートキー８に対する応答要求信号を発信するための装置であり、例えば、ドア用発信機４Ａ、バックドア用発信機４Ｂのように、各車体開放部に対応付けて車室外の複数箇所に設置され、所定の通信範囲（例えば、発信機を中心とした半径１メートルの範囲であり、以下「検知エリア」という。）に応答要求信号を発信する。
【００２３】
例えば、ドア用発信機４Ａは、ドアアウトサイドハンドル付近等に設置され、バックドア用発信機４Ｂは、バックドアアウトサイドガーニッシュ付近等に設置される。なお、発信機４は、例えば、ボデー天井部等の車室外の一カ所に設置されてもよい。
【００２４】
ここで、「車体開放部」とは、車体表面を開閉できる車体の一部分をいい、例えば、運転席ドア、助手席ドア、後部座席ドアもしくはバックドア（各ドアは、スライドドア等を含む。）、トランク、ボンネット、フューエルリッド、サンルーフ、カブリオレの電動式ソフトトップ等があり、スマートキー８により施錠または解錠される。
【００２５】
また、発信機４は、所定間隔で応答要求信号を発信するようにしてもよく、所定のイベント（例えば、スイッチの押下）に基づいて応答要求信号を発信するようにしてもよい。
【００２６】
例えば、運転席ドアに対応するドア用発信機４Ａは、所定間隔（例えば、０．３秒間隔）で応答要求信号を発信し、検知エリアにスマートキー８が進入すると即座に運転席ドアを解錠させる。
【００２７】
一方、バックドアに対応するバックドア用発信機４Ｂは、バックドアスイッチ２が押下された時点で応答要求信号を発信するようにし、所定間隔で自動的に応答要求信号を発信するようなことはしない。
【００２８】
バックドアが開閉される頻度は、運転席ドアや助手席ドアに比べ少なく、自動的に解錠させた場合に、運転者が解錠したことを忘れてその状態を放置してしまう場合もあるからであり、バックドアスイッチ２が押下された時点で発信するようにしても利便性を大きく損なうようなことがないからである。
【００２９】
また、発信機４は、例えば、長波帯（３０ｋＨｚ〜３００ｋＨｚ）の電波を用いて常に同じ内容の応答要求信号を発信するようにしてもよく、車速センサー、ドア開閉センサー、イグニッションスイッチ等からの信号に基づく車輌状態に応じて内容の異なる応答要求信号を発信するようにしてもよい。例えば、発信機４は、トレーラが連結されている場合は、トレーラが連結されていない場合に発信する応答要求信号とは異なる応答要求信号を発信し、応答要求信号を受信するスマートキー８に異なる処理（例えば、応答信号を発信させないようにする処理がある。）を実行させるようにしてもよい。
【００３０】
受信機５は、応答要求信号を受信したスマートキー８が発信する応答信号を受信するための装置であり、例えば、ドア用受信機５Ａ、バックドア用受信機５Ｂのように、各車体開放部に対応付けて車室外の複数箇所に設置される。なお、受信機５は、発信機４に一体化されてもよく、別個独立であってもよい。
【００３１】
受信機５は、スマートキー８からの応答信号を受信すると、その旨を制御部１０に通知し、制御部１０からアラームＥＣＵ６およびボデーＥＣＵ７に制御信号を送信させる。
【００３２】
アラームＥＣＵ６は、アラームの出力を制御する電子制御装置であり、例えば、車輌用施解錠制御装置１からの制御信号に基づいて車載スピーカ、車載ホーンまたは車載ブザー等を吹鳴させたり、或いは、ハザードランプまたはヘッドライト等を点灯または点滅させたりする。
【００３３】
ボデーＥＣＵ７は、ボデー関係の車載装置を制御するための電子制御装置であり、例えば、車輌用施解錠制御装置１からの制御信号に基づいてリレーコイルを作動させドアロックコントロールモーター、バックドアコントロールモーター等を駆動させ、運転席ドア、助手席ドア、バックドア等を自動的に施解錠する。
【００３４】
スマートキー８は、発信機４からの応答要求信号に応じて応答信号を発信する携帯機であり、例えば、超短波帯（３０ＭＨｚ〜３００ＭＨｚ）や極超短波帯（３００ＭＨｚ〜３ＧＨｚ）の電波を用いて応答信号を発信する。また、スマートキー８は、認証ＩＤを記憶した不揮発性メモリを有し、記憶された認証ＩＤを応答信号により車輌用施解錠制御装置に通知する。
【００３５】
スマートキー８は、発信機４の検知エリア内に進入し発信機４からの応答要求信号を受信すると自動的に応答信号を発信して、受信機５にその応答信号を受信させる。応答信号を受信した車輌用施解錠制御装置１は、受信した認証ＩＤと制御部１０のＮＶＲＡＭに記憶された認証ＩＤとを照合し、合致した場合に車体開放部を施解錠させ、合致しなかった場合に車体開放部を施解錠させないようにする。
【００３６】
また、スマートキー８は、発信機４から受信した応答要求信号の内容に基づいて応答信号の内容を変更したり（例えば、対応する車体開放部の施解錠ができない旨の音声メッセージを車載スピーカから出力させる応答信号を発信する。）、応答信号を発信しないようにしたりしてもよい。応答信号を受信する受信機５に複数の異なる処理を実行させるためである。
【００３７】
なお、スマートキー８は、応答要求信号の内容にかかわらず、時刻等の所定の条件に基づいて応答信号の発信を制御するようにしてもよい（例えば、所定時間帯に限り解錠を許可する内容の信号を発信する。）。
【００３８】
次に、制御部１０が有する各種手段について説明する。
【００３９】
施解錠制御手段１００は、ボデーＥＣＵ７を介して車体開放部を施解錠させるための手段であり、例えば、車輌が駐車状態にあり、かつ、ドア用受信機５Ａまたはバックドア用受信機５Ｂで応答信号を受信した場合に、ボデーＥＣＵ７に対して制御信号を出力し、ドアロックコントロールモーターまたはバックドアロックコントロールモーターを駆動させてドアまたはバックドアを施解錠させる。
【００４０】
なお、施解錠制御手段１００は、車速センサー、ドア開閉センサー、イグニッションスイッチ等からの信号に基づいて車輌が駐車状態にあるか否かを判定する。
【００４１】
連結判定手段１０１は、被牽引車が連結されているか否かを判定するための手段であり、例えば、連結検出器３からの信号を受信して被牽引車の連結の有無を判定し、判定結果を解錠禁止手段１０２に出力する。
【００４２】
解錠禁止手段１０２は、車輌用施解錠制御システムＳによる車体開放部の解錠を禁止するための手段であり、例えば、連結判定手段１０１により被牽引車が連結されていると判定された場合に、車輌用施解錠制御システムＳによるバックドアの解錠を禁止する。
【００４３】
ここで、図２を参照しながら、車輌用施解錠制御システムＳが車輌Ｖのバックドアの解錠を禁止する際の状態について説明する。
【００４４】
図２は、トレーラＴが連結された車輌Ｖの上面視であり、トレーラＴと車輌Ｖとは、トーイングヒッチＨ、トーイングコネクタＣを介して機械的、電気的に連結される。
【００４５】
後方のナンバープレート付近に設置されたバックドア用発信機４Ｂは、検知エリアＲを有し、検知エリアＲ内にあるスマートキー８に対し応答要求信号を発信し、同じく後方のナンバープレート付近に設置されたバックドア用受信機５Ｂは、検知エリアＲ内のスマートキー８が発信する応答信号を受信する。
【００４６】
バックドア用発信機４Ｂの検知エリアＲとトレーラＴの居住エリアＡとは、一部において重複し、その重複領域を斜線領域Ｒ１で示す。
【００４７】
解錠禁止手段１０２は、連結判定手段１０１からの信号を受信しトレーラＴが車輌Ｖに連結されているとの判定結果を受けると、バックドア用発信機４Ｂによる応答要求信号の発信を中止させる。
【００４８】
トレーラＴが連結されている場合に車輌用施解錠制御システムＳによるバックドアの解錠を許可すると、バックドア用受信機５Ｂの検知エリアＲとトレーラＴの居住エリアＡとの重複領域Ｒ１にスマートキー８が保管された状態でバックドアスイッチ２が押下されたときに、バックドアが解錠されてしまい防犯上問題となるからである。
【００４９】
具体的には、解錠禁止手段１０２は、バックドア用発信機４Ｂによる応答要求信号の発信を中止させ、スマートキー８がバックドア用発信機４Ｂの検知エリアＲに進入してもスマートキー８が応答要求信号を受信しないようにしてスマートキー８に応答信号を発信させないようにし、その結果、バックドア用受信機５Ｂが応答信号を受けないようにすることでバックドアの解錠を禁止する。
【００５０】
なお、車輌用施解錠制御装置１は、受信機をそれぞれ車体の異なる位置に備えることにより、トレーラＴの居住エリアＡにあるスマートキー８からの応答信号を受信しない受信機に対応する車体開放部については、スマートキー８による解錠を禁止することはない。スマートキー８を携帯する者の利便性を維持するためである。
【００５１】
また、車輌用施解錠制御装置１は、トレーラＴの居住エリアＡにあるスマートキー８からの応答信号を受信する受信機に対応する車体開放部であっても、スマートキー８による施錠は許可するようにしてもよい。スマートキー８を携帯する者の利便性を維持するためであり、防犯上も問題がないからである。
【００５２】
次に、図３を参照しながら、解錠禁止手段１０２が車体開放部の解錠を禁止する処理について説明する。
【００５３】
図３は、車輌用施解錠制御システムＳが車体開放部の施解錠を制御する処理を説明するタイミングチャートであり、左から右に時間経過を示し、上から順に、トレーラ連結信号、バックドア解錠要求信号、応答要求信号、応答信号およびバックドアコントロールモーター出力のそれぞれの状態を示す。
【００５４】
また、図３は、連結検出器３から制御部１０に対して出力されるトレーラ連結信号がＯＦＦ（連結無し）の場合、バックドアスイッチ２が押下されたときにバックドアスイッチ２から制御部１０に対して出力されるバックドア解錠要求信号を制御部１０が受信し、バックドア用発信機４Ｂから応答要求信号を発信させる状態を示す。
【００５５】
さらに、図３は、応答要求信号を受信したスマートキー８が応答信号を発信し、応答信号を受信した制御部１０がボデーＥＣＵ７を介してバックドアコントロールモーターを駆動させる状態を示す。
【００５６】
一方、図３は、連結検出器３が制御部１０に出力するトレーラ連結信号がＯＮ（連結有り）の場合、バックドアスイッチ２が押下されたときにバックドアスイッチ２から制御部１０に対して出力されるバックドア解錠要求信号を制御部１０が受信しても、バックドア用発信機４Ｂから応答要求信号を発信させない状態を示す。
【００５７】
このように、解錠禁止手段１０２は、バックドア用発信機４Ｂによる応答要求信号の発信を中止させることによりバックドアの解錠を禁止する。
【００５８】
また、解錠禁止手段１０２は、連結判定手段１０１からの信号を受信し被牽引車が連結されているとの判定結果を受けた場合に、バックドア用発信機４Ｂが発信する応答要求信号の内容を変更するようにしてもよい。
【００５９】
スマートキー８がバックドア用発信機４Ｂの検知エリアＲに進入して変更後の応答要求信号を受信した場合に、スマートキー８に応答信号を発信させないようにし、その結果、バックドア用受信機５Ｂが応答信号を受けないようにすることでバックドアの解錠を禁止するためである。
【００６０】
或いは、車輌用施解錠制御システムＳは、スマートキー８が応答要求信号を受けた場合に通常とは異なる所定の応答信号をスマートキー８に発信させるようにし、バックドア用受信機５Ｂがその応答信号を受けてもボデーＥＣＵ７に制御信号を出力しないようにすることで、バックドアの解錠を禁止するようにしてもよい。
【００６１】
警報出力手段１０３は、所定の条件が満たされた場合に警報を出力するための手段であり、例えば、車輌Ｖを駐車させる際に、制御部１０がトレーラ連結信号を連結検出器３から受信し、解錠禁止手段１０２によりバックドアの解錠を禁止した後、トレーラ連結信号を連結検出器３から受信しなくなったときにアラームＥＣＵ６を介して警報を出力させる。
【００６２】
トレーラＴの盗難を防止するためであり、また、解錠禁止手段１０２によりバックドアの解錠を禁止した後にトレーラ連結信号を受信しなくなった場合に限って警報を出力させるのは、不必要な警報が出力されるのを防止するためである。
【００６３】
例えば、車輌Ｖを駐車させる際にトレーラＴが連結されていなかったにもかかわらず、車輌Ｖの駐車中に連結検出器３が故障し、トレーラＴが連結されていないにもかかわらず連結判定手段１０１によりトレーラＴが連結されていると判定され、その後改めてトレーラＴが連結されていないと判定された場合に、不必要な警報が出力されるのを防止するためである。
【００６４】
なお、車輌用施解錠制御システムＳは、トレーラＴが一旦連結されたと判定した場合には、警報出力の有無にかかわらず、運転席ドアが解錠されない限り継続してバックドアの解錠を禁止する。
【００６５】
トレーラＴが連結されたことを理由に解錠禁止手段１０２によりバックドアの解錠が禁止された場合に、トレーラＴが車輌Ｖから切り離されたからといってバックドアの解錠を許可してしまえば、トレーラＴの居住エリアＡにあるスマートキー８がバックドア用発信機４Ｂの検知エリアＲにある限り、トレーラＴを車輌Ｖから切り離すだけで誰でもバックドアを解錠できることとなってしまい、トレーラＴが連結されていることを理由にバックドアの解錠を禁止したことが無駄になってしまうからである。
【００６６】
図４は、上述の警報出力手段１０３による処理を説明するためのタイミングチャートであり、左から右に時間経過を示し、上から順に、運転席ドア、車輌用施解錠制御装置１およびトレーラ連結信号のそれぞれの状態を示す。なお、トレーラ連結信号の状態は、３つのパターンが示され、それぞれＯＮになったタイミングが異なる。
【００６７】
車輌Ｖの運転席ドアが施錠されると、警戒停止状態にあった車輌用施解錠制御装置１は、所定時間（例えば、３０秒）が経過するまで警戒準備状態となり、所定時間が経過した後に警戒状態となる。
【００６８】
警戒停止状態とは、車輌用施解錠制御装置１が作動せず警報出力手段１０３により警報を出力させない状態をいい、警戒状態とは、車輌用施解錠制御装置１が作動し、所定条件を満たす場合に警報出力手段１０３により警報を出力させる状態をいう。
【００６９】
警戒準備状態とは、警戒停止状態から警戒状態へ移行する際の状態であり、車輌Ｖの運転席ドアが施錠されてから所定時間（例えば、３０秒）にわたって継続する。
【００７０】
車輌用施解錠制御装置１が警戒準備状態となっている状態で、トレーラ連結信号が既にＯＮとなっているか（パターン１）、或いは、トレーラ連結信号がＯＮになった場合（パターン２）、車輌用施解錠制御装置１は、警戒状態においてバックドアの解錠を禁止し、その後警戒状態においてトレーラ連結信号がＯＦＦになった場合には警告出力手段１０３により警告を出力させる。
【００７１】
一方、車輌用施解錠制御装置１が警戒準備状態となっている状態でトレーラ連結信号がＯＮにならなかった場合（パターン３）、車輌用施解錠制御装置１は、その後警戒状態においてトレーラ連結信号がどのように変化しても警告出力手段１０３により警告を出力させないようにする。
【００７２】
トーイングコネクタ等の故障によりトレーラＴが連結されていないにもかかわらずトレーラＴが連結されたと判定されたような場合に、不必要な警報を出力しないようにするためである。
【００７３】
なお、車輌用施解錠制御装置１は、トレーラ連結信号が一旦ＯＮになれば、運転席ドアが解錠されない限りバックドアの解錠を禁止する。トーイングコネクタ等の故障によりトレーラＴが連結されていないにもかかわらずトレーラＴが連結されたと判定されたような場合であっても、トレーラＴが車輌Ｖに近在する場合もあり、また、車輌用施解錠制御装置１が警戒状態である場合にトレーラＴが実際に連結される場合もあるからである。
【００７４】
このように、車輌用施解錠制御装置１は、車輌Ｖの運転席ドアを施錠した後に車輌Ｖの所有者がトレーラＴを連結させた場合であっても、車輌Ｖの運転席ドアを施錠してから所定時間（例えば、３０秒）が経過するまでに行われたのであれば、車輌Ｖの所有者（正規にスマートキー８を有する者）によるトレーラＴの連結であるとし、その後、トレーラ連結信号がＯＦＦとなった場合に確実に警告を出力させるようにする。
【００７５】
一方、車輌用施解錠制御装置１は、所定時間経過後にトレーラ連結信号がＯＮとなった場合には、車輌Ｖの所有者によるトレーラＴの連結ではなく、トーイングコネクタＣの接触不良やトーイングヒッチＨにある専用スイッチの故障によるものとし、その後、トレーラ連結信号がＯＦＦとなった場合に不必要な警告を出力させないようにする。
【００７６】
以上の構成により、車輌用施解錠制御装置１は、連結判定手段１０１により被牽引車の連結の有無を判定し、被牽引車が連結された場合に所定の車体開閉部の解錠を禁止するので、被牽引車が連結された場合に車体開閉部が予期せずに解錠されてしまうのを防止することができる。
【００７７】
また、車輌用施解錠制御装置１は、トレーラＴの居住エリアＡにスマートキー８を保管するような場合であってもバックドアを確実に施錠することができ、防犯性を高めることができる。
【００７８】
以上、本発明の好ましい実施例について詳説したが、本発明は、上述した実施例に制限されることはなく、本発明の範囲を逸脱することなく、上述した実施例に種々の変形及び置換を加えることができる。
【００７９】
例えば、上述の実施例では、車輌用施解錠制御装置１は、トレーラが車輌に連結されるとバックドア用発信機４Ｂから応答要求信号を発信しないようにしてバックドアの解錠を禁止するが、バックドア用発信機４Ｂの検知エリアＲを縮小させたり、応答要求信号の発信方向をトレーラの位置から逸らせたりしてバックドアの解錠を禁止するようにしてもよい。
【図面の簡単な説明】
【００８０】
【図１】車輌用施解錠制御システムの構成例を示す図である。
【図２】トレーラが連結された車輌の上面視である。
【図３】車輌用施解錠制御システムが車体開放部の施解錠を制御する処理を説明するタイミングチャートである。
【図４】車輌用施解錠制御装置が警報を出力させるか否かを決定する処理を説明するためのタイミングチャートである。
【符号の説明】
【００８１】
１      車輌用施解錠制御装置
２      バックドアスイッチ
３      連結検出器
４、４Ａ、４Ｂ  発信機
５、５Ａ、５Ｂ  受信機
６      アラームＥＣＵ
７      ボデーＥＣＵ
８      スマートキー
１０    制御部
１００  施解錠制御手段
１０１  連結判定手段
１０２  解錠禁止手段
１０３  警報出力手段
Ａ      居住エリア
Ｃ      トーイングコネクタ
Ｈ      トーイングヒッチ
Ｒ      検知エリア
Ｒ１    重複エリア
Ｓ      車輌用施解錠制御システム
Ｔ      トレーラ
Ｖ      車輌
【図１】
2008050845.tif 000003
【図２】
2008050845.tif 000004
【図３】
2008050845.tif 000005
【図４】
2008050845.tif 000006